(57)【特許請求の範囲】
【請求項１】
商品コードを入力する手段と、
商品コードによって特定される商品とその単価との関係を規定するＰＬＵファイルを参照して入力された商品コードに基づく商品販売データ処理を実行する手段と、
赤外線通信によってデータの送受信を行なう赤外線通信手段と、
商品コードの入力に伴い、商品コードに対応させてＵＲＬ（Uniform Resource Locator）を記憶するファイルを参照してＵＲＬを取得するＵＲＬ取得手段と、
赤外線通信機能を有する外部機器との間で赤外線通信が確立したかどうかを判定する手段と、
前記外部機器との間で赤外線通信が確立したと判定された場合に取得したＵＲＬを前記赤外線通信手段によって赤外線送信するＵＲＬ送信手段と、
を具備する商品販売データ処理装置。
【請求項２】
前記ＵＲＬ送信手段は、商品コードの入力毎にＵＲＬを赤外線送信する請求項１記載の商品販売データ処理装置。
【請求項３】
前記ＵＲＬ送信手段は、一取引の終了が宣言された場合にその一取引中に前記ＵＲＬ取得手段によって取得されたＵＲＬを赤外線送信する請求項１記載の商品販売データ処理装置。
【請求項４】
ブックマーク登録が可能であることを報知する請求項１、２又は３記載の商品販売データ処理装置。
【請求項５】
ブックマーク登録の操作手順を報知する請求項４記載の商品販売データ処理装置。
【請求項６】
客面表示器を備え、この客面表示器を利用した案内表示によって必要な報知を行なう請求項４又は５記載の商品販売データ処理装置。
【請求項７】
タッチパネル付の客面表示器と、
この客面表示器の表示案内と前記タッチパネルのタッチ入力とに従い前記ＵＲＬ送信手段によって赤外線送信させるＵＲＬを選択する手段と、
を具備する請求項１、２又は３記載の商品販売データ処理装置。
【請求項８】
前記ＵＲＬ送信手段は、赤外線通信されたＵＲＬを受信した前記外部機器にその送信されたＵＲＬをブックマーク登録させるプログラムをＵＲＬと共に送信する請求項１記載の商品販売データ処理装置。
【請求項９】
前記ＵＲＬを記憶するファイルは、前記ＰＬＵファイルである請求項１記載の商品販売データ処理装置。
【請求項１０】
赤外線通信によってデータの送受信を行なう赤外線通信手段を備え、入力された商品コードに基づく商品販売データ処理を実行する商品販売データ処理装置が備えるコンピュータにインストールされ、このコンピュータに、
商品コードの入力に伴い、商品コードに対応させてＵＲＬを記憶するファイルを参照してＵＲＬを取得するＵＲＬ取得機能と、
赤外線通信機能を有する外部機器との間で赤外線通信が確立したかどうかを判定する機能と、
前記外部機器との間で赤外線通信が確立したと判定された場合に取得したＵＲＬを前記赤外線通信手段によって赤外線送信するＵＲＬ送信機能と、
を実行させる機械読み取り可能なＵＲＬ情報送信用プログラム。
【発明の詳細な説明】
【０００１】
【発明の属する技術分野】
本発明は、ＰＯＳ端末（ＰＯＳはPoint of Salesの略称）等の商品販売データ処理装置及びこれにインストールされるＵＲＬ情報送信用プログラムに関する。
【０００２】
【従来の技術】
ＰＯＳ端末等の商品販売データ処理装置は、その実体がコンピュータであり、そのために多機能化が容易である。
【０００３】
また、近年、携帯電話の使用用途も拡大傾向にあり、携帯電話の多機能化も進んでいる。
【０００４】
このような拡大されたＰＯＳ端末と携帯電話とを連携させる機能としては、例えば、携帯電話に端末ＩＤを予め登録しておき、携帯電話に登録された端末ＩＤを例えばＰＯＳ端末において読み出し、読み出した端末ＩＤを本人認証に使用する、というような機能が考えられている（特許文献１参照）。
【０００５】
【特許文献１】
特開２００２−６３６５８公報
【０００６】
【発明が解決しようとする課題】
近年、商品情報に興味を持つ消費者が増えてきている。このような商品情報に対する興味は、実に多面的であり、例えば、特売等の商品の販売状況に関する興味、商品の安全性に関する興味、商品の出所に関する興味、商品情報の収集そのものに関する興味、ブランドに関する興味等、挙げれば枚挙に暇がない。そこで、商品の販売という局面において、より多様な商品情報を消費者に提供できれば、消費者との間での信頼関係が増してより友好的な関係を築くことができ、ひいては販売促進にもつながるものと考えられる。
【０００７】
このようなことから、例えば、前述したようなＰＯＳ端末と携帯電話との間のデータ送受信機能等を利用し、商品情報を有効に消費者に伝達できるようなシステムの構築が望まれる。
【０００８】
本発明の目的は、商品情報を有効に消費者に伝達することである。
【０００９】
【課題を解決するための手段】
本発明の商品販売データ処理装置（例えば、ＰＯＳ端末等）は、入力された商品コードに基づく商品販売データ処理を実行するに際して、商品コードの入力に伴い、商品コードに対応させてＵＲＬを記憶するファイルを参照してＵＲＬ（Uniform Resource Locator）を取得し、赤外線通信機能を有する外部機器（例えば、携帯電話等）との間で赤外線通信が確立したかどうかを判定し、前記外部機器との間で赤外線通信が確立したと判定された場合に取得したＵＲＬを赤外線通信手段（例えば、赤外線通信モジュール）によって赤外線送信する。これにより、赤外線送信されたＵＲＬを、例えば携帯電話等の外部機器が受信してブックマーク登録することが可能である。
【００１０】
【発明の実施の形態】
本発明の実施の一形態を図１ないし図１３に基づいて説明する。
【００１１】
図１は、赤外線通信中である商品販売データ処理装置（ＰＯＳ端末１０１）と外部機器（携帯電話２０１）とを示す斜視図である。
【００１２】
本実施の形態は、概略的には、ＰＯＳ端末１０１に商品データを入力するに際して、その商品データに対応付けられたＵＲＬ（Uniform Resource Locator）を取得し、このＵＲＬを赤外線通信機能によって携帯電話２０１に赤外線送信し、携帯電話２０１では受信したＵＲＬをブックマーク登録する、というものである。以下、ＰＯＳ端末１０１の詳細、携帯電話２０１の詳細、ＰＯＳ端末１０１での商品販売データ処理の流れ、及びＰＯＳ端末１０１に対するＵＲＬのブックマーク登録処理の流れの順番で説明する。
【００１３】
まず、ＰＯＳ端末１０１について図１ないし図３を参照して説明する。
【００１４】
図１に示すように、ＰＯＳ端末１０１はドロワ１０２に載置されて使用される。このようなＰＯＳ端末１０１は、携帯電話２０１と共通の規格下にある赤外線通信機能を備えている。このような赤外線通信機能の規格としては、例えばＩｒｄａ等が採用されている。もっとも、ＰＯＳ端末１０１及び携帯電話２０１の赤外線通信機能として、他の規格等を採用しても良い。
【００１５】
図２は、ＰＯＳ端末１０１のハードウェア構成を示すブロック図である。ＰＯＳ端末１０１は、その概略構成として、各種演算処理を実行して各部を集中的に制御するＣＰＵ１０３に、固定データを格納するＲＯＭ１０４、可変データを書き替え自在に格納するＲＡＭ１０５、各種表示デバイス１０６、各種入力デバイス１０７、記憶装置１０８、インターフェース１０９、通信インターフェース１１０及び赤外線通信手段としての赤外線通信モジュール１１１がシステムバス１１２を介して接続された構成を有している。
【００１６】
ここで、表示デバイス１０６には、図１に外観を例示するオペレータ用表示器１０６ａと客面表示器１０６ｂとが含まれている。また、入力デバイス１０７としては、例えば、図１に例示するバーコードスキャナ１０７ａ、キーボード１０７ｂ、カードリーダライタ１０７ｃ、タッチパネル１０７ｄが設けられている。タッチパネル１０７ｄは、オペレータ用表示器１０６ａと客面表示器１０６ｂとの双方に設けられている。また、バーコードスキャナ１０７ａ、キーボード１０７ｂ及びタッチパネル１０７ｄは、商品コードを入力する手段として機能する。
【００１７】
記憶装置１０８としては、例えばハードディスクドライブが用いられる。このような記憶装置１０８には、オペレーティングシステム１１３（以下、ＯＳ１１３と略称する）の他、プログラム１１４がインストールされ、各種ファイル１１５が記憶保存されている。これらのＯＳ１１３、プログラム１１４及び各種ファイル１１５は、一例として、通信インターフェース１１０に例えばＬＡＮを介して接続された図示しないストアコントローラ等の外部機器からインストールされる。こうしてインストールされたプログラム１１４として、本実施の形態のＰＯＳ端末１０１は、商品販売データ処理用のプログラム（図６参照）及びＵＲＬ情報送信用プログラム（図６、図７、図８参照）がインストールされている。この意味で、記憶装置１０８は、プログラム１１４を格納する記憶媒体として機能する。
【００１８】
そして、記憶装置１０８にインストールされたＯＳ１１３やプログラム１１４は、ＰＯＳ端末１０１の起動時やプログラム１１４の起動時、その全部又は一部がＲＡＭ１０５にコピーされ、アクセス速度の高速度化が図られている。
【００１９】
また、記憶装置１０８に記憶保存された各種ファイル１１５の代表的なものとしては、ＰＬＵファイル１１６がある。このＰＬＵファイル１１６は、図３に示すように、商品を特定する商品コード１１６ａに対応させて、その商品の品名１１６ｂ、単価１１６ｃ、ＵＲＬ１１６ｄ等のデータを記憶するデータ構造となっている。
【００２０】
さらに、ＰＯＳ端末１０１は、通信インターフェース１１０として、図示しないネットワークカードを有しており、図示しないＬＡＮ環境に接続可能な構成を備えている。そして、ＯＳ１１３が含むプログラム又は専用のプログラム１１４は、ＬＡＮ環境への接続を支援する。これにより、ＰＯＳ端末１０１は、ＬＡＮ環境においてクライアントＰＣとして機能する。
【００２１】
次いで、携帯電話２０１について図４及び図５を参照して説明する。
【００２２】
図４（ａ）は蓋が開かれた携帯電話２０１の側面図、（ｂ）は蓋が開かれた携帯電話２０１の正面図、（ｃ）は蓋が閉じられた携帯電話２０１の正面図である。
【００２３】
携帯電話２０１は、折り畳み式であり、その基本的な外観構成としては特殊性を有していない。つまり、操作者が手で持つ側の基部ハウジング２０２に蓋様のカバーハウジング２０３が回動自在に取り付けられている。そして、基部ハウジング２０２には、伸縮自在のアンテナ２０４と、操作部２０５と、マイク２０６とが設けられている。また、カバーハウジング２０３には、その内部に大型のメイン表示器２０７が設けられ、その上部にはスピーカ２０８が設けられている。カバーハウジング２０３の外側には小型のサブ表示器２０９も備えられている。
【００２４】
ここで、操作部２０５は、テンキー２１０、電源・通話終了キー２１１、通話開始キー２１２、ウェブキー２１３、メールキー２１４、４接点キー２１５及びメニュー・エンターキー２１６を有している。テンキー２１０は、電話番号入力等の置数入力に際して用いられるキーである。電源・通話終了キー２１１は、電源のオン・オフ切り替えと、通話を終了させるためのキーである。通話開始キー２１２は、通話を開始するためのキーである。ウェブキー２１３は、インターネットを閲覧するためのキーである。メールキー２１４は、電子メール機能を使用する際に操作するキーである。４接点キー２１５は、カーソル移動等のために操作すべきキーである。メニュー・エンターキー２１６は、メイン表示器２０７にメニュー画面を表示させたり、選択項目を確定させたりする場合に用いるキーである。
【００２５】
図５は、携帯電話２０１のハードウェア構成を示すブロック図である。携帯電話２０１は、その概略構成として、各種演算処理を実行して各部を集中的に制御するＣＰＵ２１７に、固定データを格納するＲＯＭ２１８、可変データを書き替え自在に格納する記憶領域としてのＲＡＭ２１９、操作部２０５、メイン表示器２０７、サブ表示器２０９、変復調部２２０、及び赤外線通信モジュール２２１がシステムバス２２２を介して接続された構成を有している。赤外線通信モジュール２２１における赤外線通信機能の規格としては、ＰＯＳ端末１０１と共通する例えばＩｒｄａ等が採用されている。もっとも、ＰＯＳ端末１０１及び携帯電話２０１の赤外線通信機能として、他の規格等を採用しても良い。
【００２６】
ＲＯＭ２１８は、ＯＳや各種のプログラムをインストールしている。このようなＯＳやプログラムに従い、ＣＰＵ２１７は各部を駆動制御して携帯電話２０１に各種の機能を生じさせる。特に、本実施の形態では、ＲＯＭ２１８に格納されたＯＳ及びプログラムは、インターネット接続機能、ウェブブラウザ機能、電子メール機能、プログラムダウンロード機能、及び赤外線通信モジュール２２１を用いた赤外線通信機能等を携帯電話２０１に実行させる。携帯電話２０１で実行される赤外線通信機能は、赤外線通信モジュール２２１の赤外線通信ポートをオンにしてＰＯＳ端末１０１等の他の機器との間で赤外線通信を実行する機能である。また、この赤外線通信機能は、電話帳やメール、ブックマーク等を赤外線通信する機能をサポートする。例えば、携帯電話２０１のＣＰＵ２１７は、赤外線通信可能な状態となっている携帯電話２０１が赤外線通信によって送信されたブックマークを受信した場合、そのブックマークをＲＡＭ２１９の記憶領域にブックマーク登録する。
【００２７】
ＲＡＭ２１９は、不揮発性記憶領域又はバッテリバックアップ領域を有している。特に、本実施の形態のＲＡＭ２１９は、インターネットを介してアクセスするコンテンツからダウンロードしたプログラムファイルを記憶保存する記憶領域を有している。
【００２８】
変復調部２２０には、アンテナ２０４を介して音声信号やデータ信号を送受信する送受信部２２３と、音声処理部２２４とが接続されている。音声処理部２２４は、変復調部２２０から送信された音声データをＤ／Ａ変換してスピーカ２０８から音響信号として出力させ、また、マイク２０６から取り込まれた音声信号をＡ／Ｄ変換して変復調部２２０に送信する。
【００２９】
次いで、ＰＯＳ端末１０１での商品販売データ処理について図６を参照して説明する。
【００３０】
本実施の形態のＰＯＳ端末１０１は、動作モードが登録モードに設定されている場合、記憶装置１０８に格納されてＰＯＳ端末１０１の起動時にその全部又は一部がＲＡＭ１０５にコピーされるプログラム１１４に従ったＣＰＵ１０３の制御により、商品販売データ処理を実行する。つまり、図６に示すように、ＣＰＵ１０３は、バーコードスキャナ１０７ａ等の入力デバイス１０７による商品コードの入力有無の判定に待機している（ステップＳ１０１）。この判定で、商品コードの入力があったと判定された場合（ステップＳ１０１のＹ）、ＰＬＵファイル１１６が検索され（ステップＳ１０２）、入力された商品コードに一致する商品コード１１６ａに対応付けられた商品データ、ここでは品名１１６ｂ及び単価１１６ｃがＲＡＭ１０５の一時記憶領域にレジストされる（ステップＳ１０３）。
【００３１】
その後、ＣＰＵ１０３は、ＰＬＵファイル１１６中で入力された商品コードに一致する商品コード１１６ａに対応付けられたＵＲＬ１１６ｄにデータが登録されているかどうかを判定する（ステップＳ１０４）。ＵＲＬ１１６ｄにデータが登録されている場合には、その登録されているＵＲＬをＲＡＭ１０５の一時記憶領域にレジストし（ステップＳ１０５）、小計入力の有無を判定する（ステップＳ１０６）。これに対して、ＵＲＬ１１６ｄにデータが登録されていない場合には、登録されているＵＲＬをＲＡＭ１０５の一時記憶領域にレジストするというステップＳ１０５の処理を経ることなく、小計入力の有無の判定に移行する（ステップＳ１０６）。
【００３２】
そこで、本実施の形態では、ステップＳ１０２〜１０５の処理によって、商品コードの入力に伴い、商品コードに対応させてＵＲＬを記憶するＰＬＵファイル１１６を参照してＵＲＬ１１６ｄを取得するＵＲＬ取得手段（機能）が実行される。
【００３３】
小計入力は、例えばキーボード１０７ｂに含まれている図示しない小計キーの押下によってなされる。そこで、ＣＰＵ１０３は、そのような小計入力を判定するまではステップＳ１０１での商品コードの入力有無の判定処理にリターンし（ステップＳ１０６のＮ）、小計入力を判定した場合には（ステップＳ１０６のＹ）、預り金額の入力有無の判定を実行する（ステップＳ１０７）。このステップＳ１０７で、小計入力があったと判定された場合には（ステップＳ１０７のＹ）、続いて締め操作の有無の判定に移行する（ステップＳ１０８）。
【００３４】
締め操作は、例えばキーボード１０７ｂに含まれている図示しない締めキー、一例として図示しない客層キーの押下によってなされる。そこで、ＣＰＵ１０３は、そのような締め操作を判定した場合には（ステップＳ１０８のＹ）、ＲＡＭ１０５中に設けられた図示しない売上登録メモリに対する商品販売データの登録（ステップＳ１０９）、レシート発行（ステップＳ１１０）、ドロワ１０２の引出オープン（ステップＳ１１１）という一連の処理を実行する。
【００３５】
ここに、商品コードによって特定される商品とその単価との関係を規定するＰＬＵファイル１１６を参照して入力された商品コードに基づく商品販売データ処理を実行する手段（機能）が実行される。
【００３６】
次いで、携帯電話２０１に対するＵＲＬのブックマーク登録処理について図７ないし図１３を参照して説明する。このような携帯電話２０１に対するＵＲＬのブックマーク登録処理は、ＰＯＳ端末１０１と携帯電話２０１との間での赤外線の送受信を伴って実行される。
【００３７】
図７は、ＰＯＳ端末１０１において実行されるＵＲＬを赤外線通信する処理の流れを示すフローチャートである。図７に示すように、ＰＯＳ端末１０１のＣＰＵ１０３は、動作モードが登録モードに設定されている場合、図６に示す商品販売データ処理と並行して、図６のフローチャートで示すステップＳ１０５での処理、つまりＵＲＬをＲＡＭ１０５の一時記憶領域にレジストする処理が実行されたかどうかの判定に待機している（ステップＳ２０１）。この判定で、ＵＲＬがＲＡＭ１０５の一時記憶領域にレジストされたと判定された場合には（ステップＳ２０１のＹ）、赤外線通信モジュール１１１の赤外線通信ポートをオンにして赤外線通信要求を赤外線通信する（ステップＳ２０２）。そして、ＣＰＵ１０３は、ＰＯＳ端末１０１の客面表示器１０６ｂにメッセージを表示する（ステップＳ２０３）。このメッセージは、購入する商品に関連するＵＲＬを携帯電話２０１でブックマーク登録が可能であることとブックマーク登録の操作手順とを報知する内容である。図９は、ＰＯＳ端末１０１の客面表示器１０６ｂに表示されるメッセージを例示する模式図である。
【００３８】
その後、ＰＯＳ端末１０１のＣＰＵ１０３は、ステップＳ２０２で赤外線送信した赤外線通信要求に対する携帯電話２０１からの応答受信の有無の判定に待機する（ステップＳ２０４）。このステップＳ２０４の処理により、携帯電話２０１との間で赤外線通信が確立したかどうかを判定する手段（機能）が実行される。そして、携帯電話２０１から応答がないと判定した場合には（ステップＳ２０４のＮ）、ステップＳ２０１にリターンしてＲＡＭ１０５の一時記憶領域にＵＲＬをレジストする処理が実行されたかどうかの判定に待機する。これに対して、携帯電話２０１から応答があったと判定した場合には（ステップＳ２０４のＹ）、赤外線通信モジュール１１１の赤外線通信ポートをオンにし、ＲＡＭ１０５の一時記憶領域にレジストしたＵＲＬを赤外線送信する（ステップＳ２０５）。ここに、携帯電話２０１との間で赤外線通信が確立したと判定された場合に赤外線通信手段である赤外線通信モジュール１１１を起動し、取得したＵＲＬを赤外線送信するＵＲＬ送信手段（機能）が実行される。
【００３９】
以上の処理によって、ＲＡＭ１０５の一時記憶領域にＵＲＬをレジストする処理が実行される毎に、携帯電話２０１からの要求に応じてＵＲＬが赤外線送信されることになる。
【００４０】
なお、本実施の形態では、前述したように、携帯電話２０１は、赤外線通信によってＵＲＬを受信した場合に受信したＵＲＬをブックマーク登録するというプログラムを記憶保存している。このため、ステップＳ２０５の処理において、ＰＯＳ端末１０１はＵＲＬだけを赤外線通信すれば良い。これに対して、携帯電話２０１がそのような機能を有していない場合には、ＰＯＳ端末１０１は、携帯電話２０１に赤外線通信によって受信したＵＲＬをブックマークとして登録させる例えばＪＡＶＡスクリプト形式のプログラムをＵＲＬと共に送信すれば良い。これにより、携帯電話２０１は、そのＣＰＵ２１７においてそのプログラムが解釈実行されることで、受信したＵＲＬをブックマーク登録することになる。
【００４１】
図８は、ＰＯＳ端末１０１において実行される別のＵＲＬを赤外線通信する処理の流れを示すフローチャートである。図７に例示する処理では、ＲＡＭ１０５の一時記憶領域にＵＲＬをレジストする処理が実行される毎に、携帯電話２０１からの要求に応じてＵＲＬを赤外線送信する。これに対して、図８に例示する処理では、一括送信タイミングとなった場合に、携帯電話２０１からの要求に応じてＵＲＬを赤外線送信する点で図７に例示する処理と異なる。
【００４２】
つまり、ＰＯＳ端末１０１のＣＰＵ１０３は、動作モードが登録モードに設定されている場合、図６に示す商品販売データ処理と並行して、一括送信タイミングが到来したかどうかの判定処理に待機する（ステップＳ２５１）。一括送信タイミングが到来したと判定されるのは、一例として、図６のフローチャートで示すステップＳ１０６での処理、つまり小計入力がなされたと判定されたとき、別の一例として、ステップＳ１０８での処理、つまり締め操作がなされたと判定されたときである。もっとも、これらの例に限らず、ＵＲＬを一括して送信するのにふさわしければ、そのようないかなる時をもってしても、一括送信タイミングが到来したと判定し得る。
【００４３】
ＰＯＳ端末１０１のＣＰＵ１０３は、一括送信タイミングが到来したと判定し場合には（ステップＳ２５１のＹ）、赤外線通信モジュール１１１の赤外線通信ポートをオンにして赤外線通信要求を赤外線通信する（ステップＳ２５２）。そして、ＣＰＵ１０３は、ＰＯＳ端末１０１の客面表示器１０６ｂにメッセージを表示する（ステップＳ２５３）。このメッセージは、購入する商品に関連するＵＲＬを携帯電話２０１でブックマーク登録が可能であることとブックマーク登録の操作手順とを報知し、ブックマーク登録したいＵＲＬの選択を許容する内容である。図１０は、ＰＯＳ端末１０１の客面表示器１０６ｂに表示されるメッセージを例示する模式図である。
【００４４】
客面表示器１０６ｂに表示されるメッセージ中、顧客がＵＲＬ部分をタッチすると、客面表示器１０６ｂに設けられたタッチパネル１０７ｄは、そのタッチされたＵＲＬを特定する信号をＣＰＵ１０３に返す。これにより、ＣＰＵ１０３は、ＵＲＬが選択されたことを認識し（ステップＳ２５４のＹ）、ＲＡＭ１０５の一時記憶領域にレジストされている選択されたＵＲＬにマーキングを行なう（ステップＳ２５５）。ＵＲＬのマーキングは、一例として、そのＵＲＬに対応させてフラグを設定することによってなされる。ここに、客面表示器１０６ｂの表示案内とタッチパネル１０７ｄのタッチ入力とによって赤外線送信させるＵＲＬを選択する手段（機能）が実行される。なお、ステップＳ２５４での判断で、予め定められた規定時間経過してもＵＲＬの選択信号が生じない場合にはタイムアウト処理を実行し（ステップＳ２５４のＮ、ステップＳ２５６）、処理を終了する。
【００４５】
その後、ＰＯＳ端末１０１のＣＰＵ１０３は、ステップＳ２０２で赤外線送信した赤外線通信要求に対する携帯電話２０１からの応答受信の有無の判定に待機する（ステップＳ２５７）。このステップＳ２５７の処理により、携帯電話２０１との間で赤外線通信が確立したかどうかを判定する手段（機能）が実行される。そして、携帯電話２０１から応答がないと判定した場合には（ステップＳ２５７のＮ）、ステップＳ２５１にリターンして一括送信タイミングが到来したかどうかの判定に待機する。これに対して、携帯電話２０１から応答があったと判定した場合には（ステップＳ２５７のＹ）、赤外線通信モジュール１１１の赤外線通信ポートをオンにし、ＲＡＭ１０５の一時記憶領域にレジストされたＵＲＬのうちマーキングされたＵＲＬを赤外線送信する（ステップＳ２５２）。ここに、携帯電話２０１との間で赤外線通信が確立したと判定された場合に赤外線通信手段である赤外線通信モジュール１１１を起動し、取得したＵＲＬを赤外線送信するＵＲＬ送信手段（機能）が実行される。
【００４６】
以上の処理によって、一括送信タイミングとなった場合に、携帯電話２０１からの要求に応じて選択されたＵＲＬが赤外線送信されることになる。
【００４７】
図１０は、携帯電話２０１において実行される赤外線通信処理の流れを示すフローチャートである。図１１は、携帯電話２０１において実行されるブックマーク登録の処理の流れを示すフローチャートである。
【００４８】
携帯電話２０１の所持者は、ＰＯＳ端末１０１が提供するＵＲＬのブックマークを望む場合、例えば図９や図１０に例示するメッセージに従い、赤外線通信機能を有効にする。
【００４９】
これにより、携帯電話２０１では、赤外線通信処理が実行される。つまり、携帯電話２０１のＣＰＵ２１７は、赤外線通信モジュール２２１の赤外線通信ポートがオンになったと判定し（ステップＳ３０１のＹ）、メイン表示器２０７の画面表示を赤外線通信中画面表示にする（ステップＳ３０２）。赤外線通信中画面表示は、例えば図１３に例示するような画面表示である。そして、携帯電話２０１のＣＰＵ２１７は、赤外線通信応答要求受信に待機し（ステップＳ３０３）、赤外線通信応答要求の受信を判定すると（ステップＳ３０３のＹ）、赤外線通信応答を赤外線通信モジュール２２１に送信させ（ステップＳ３０４）、データ受信に待機する（ステップＳ３０５）。そして、データ受信があったと判定した場合（ステップＳ３０５のＹ）、データの種類を判定し（ステップＳ３０６）、画面表示を復帰させる（ステップＳ３０７）。これに対して、ステップＳ３０５で、予め規定された時間データが経過してもデータ受信があったと判定されない場合、タイムアウト処理が実行されて（ステップＳ３０８）処理終了する。
【００５０】
ここで、ＰＯＳ端末１０１では、図７のフローチャート中のステップＳ２０２、図８のフローチャート中のステップＳ２５２に従い、その赤外線通信モジュール１１１の赤外線通信ポートをオンにして赤外線通信要求を赤外線通信している。このため、携帯電話２０１における赤外線通信処理において、携帯電話２０１の赤外線通信モジュール２２１は、ＰＯＳ端末１０１からの赤外線通信要求を受信することになる。これにより、携帯電話２０１のＣＰＵ２１７は、ステップＳ３０２で、赤外線通信応答要求の受信を判定する（ステップＳ３０２のＹ）。
【００５１】
これに応じて、前述したように、ＰＯＳ端末１０１では、携帯電話２０１から応答ありと判定し（図７のフローチャート中のステップＳ２０４のＹ、図８のフローチャート中のステップＳ２５７のＹ）、ＵＲＬを送信する（図７のフローチャート中のステップＳ２０５、図８のフローチャート中のステップＳ２５８）。
【００５２】
すると、携帯電話２０１のＣＰＵ２１７は、ステップＳ３０５においてデータ受信と判定し（ステップＳ３０５のＹ）、続くステップＳ３０６でのデータ種別判定において、受信したデータがＵＲＬデータであると判定する。これに応じて、携帯電話２０１のＣＰＵ２１７は、図１２に例示するプログラムを起動させる。これにより、ＰＯＳ端末１０１から赤外線送信されたＵＲＬをブックマーク登録する（ステップＳ３５１）。
【００５３】
こうして携帯電話２０１に登録されたブックマークは、選択してそのブックマークのＵＲＬに携帯電話２０１をアクセスさせることができる。図１４は、携帯電話２０１に登録されたブックマークを選択するための画面表示例を示す模式図である。
【００５４】
以上説明したように、本実施の形態では、ＰＯＳ端末１０１に商品データを入力するに際して、その商品データに対応付けられたＵＲＬ（Uniform Resource Locator）が取得され、このＵＲＬが赤外線通信機能によって携帯電話２０１に赤外線送信され、携帯電話２０１では受信したＵＲＬがブックマーク登録される。これにより、顧客に対して、関心が深いであろうと推定されるその者が購入した商品に関係するＵＲＬをその者の携帯電話２０１にブックマーク登録させることができる。
【００５５】
以上説明したように、本実施の形態によれば、図７のフローチャート中のステップＳ２０５の処理（ＵＲＬ送信手段）によって、商品コードの入力毎にＵＲＬを赤外線送信するので、顧客は携帯電話２０１を赤外線通信可能な状態にしてＰＯＳ端末１０１の赤外線ポートに近づけるだけで、容易に所望のＵＲＬをブックマーク登録することができる。
【００５６】
また、別の実施の形態によれば、図８のフローチャート中のステップＳ２５８の処理（ＵＲＬ送信手段）によって、一取引の終了が宣言された場合にその一取引中に取得されたＵＲＬを赤外線送信するので、顧客は携帯電話２０１を赤外線通信可能な状態にしてＰＯＳ端末１０１の赤外線ポートに近づける操作を一度行なうだけで、容易にＵＲＬをブックマーク登録することができる。
【００５７】
また、本実施の形態によれば、ブックマーク登録が可能であることとブックマーク登録の操作手順とを報知するので、それらの事項を顧客に知らせ、サービスの向上を図ることができる。この場合、客面表示器１０６ｂを利用した案内表示によって必要な報知を行なうので、情報報知のために特別なハードウェア構成を新たに設ける必要がなく、簡易に顧客に対する報知を実行することができる。
【００５８】
また、本実施の形態によれば、タッチパネル１０７ｄのタッチ入力に従い赤外線送信させるＵＲＬを選択可能とするので、顧客は所望のＵＲＬだけを容易にブックマーク登録することができる。
【００５９】
また、図７のフローチャート中のステップＳ２０５の処理（ＵＲＬ送信手段）又は図８のフローチャート中のステップＳ２５８の処理（ＵＲＬ送信手段）において、赤外線通信されたＵＲＬを受信した携帯電話にその送信されたＵＲＬをブックマーク登録させるプログラムをＵＲＬと共に送信するようにした場合には、赤外線通信によってＵＲＬを受信した場合に受信したＵＲＬをブックマーク登録する機能を有していない携帯電話においても、その携帯電話の所持者が購入した商品に関係するコンテンツのＵＲＬをブックマーク登録させることができる。
【００６０】
さらに、ＵＲＬを記憶するファイルをＰＬＵファイル１１６と兼用することで、ＰＯＳ端末１０１の記憶領域に保持すべきデータ量の削減とＰＯＳ端末１０１での処理負担の軽減とを図ることができる。
【００６１】
【発明の効果】
本発明は、入力された商品コードに基づく商品販売データ処理を実行するに際して、赤外線通信機能を有する外部機器（例えば、携帯電話等）との間で赤外線通信が確立した場合に商品コードの入力に伴い取得したＵＲＬを赤外線送信するようにしたので、顧客に対して、関心が深いであろうと推定されるその者が購入した商品に関係するＵＲＬをその者の携帯電話等にブックマーク登録させる機会を提供することができ、有効に商品情報を提供することができる。
【図面の簡単な説明】
【図１】本発明の実施の一形態として、赤外線通信中である商品販売データ処理装置（ＰＯＳ端末）と外部機器（携帯電話）とを示す斜視図である。
【図２】商品販売データ処理装置（ＰＯＳ端末）におけるハードウェアのブロック図である。
【図３】ＰＬＵファイルの一例を示す模式図である。
【図４】（ａ）は蓋が開かれた外部機器（携帯電話）の側面図、（ｂ）は蓋が開かれた外部機器（携帯電話）の正面図、（ｃ）は蓋が閉じられた外部機器（携帯電話）の正面図である。
【図５】外部機器（携帯電話）におけるハードウェアのブロック図である。
【図６】商品販売データ処理装置（ＰＯＳ端末）での商品販売データ処理の流れを示すフローチャートである。
【図７】商品販売データ処理装置（ＰＯＳ端末）において実行されるＵＲＬを赤外線通信する処理の流れを示すフローチャートである。
【図８】商品販売データ処理装置（ＰＯＳ端末）において実行されるＵＲＬを赤外線通信する別の処理の流れを示すフローチャートである。
【図９】商品販売データ処理装置（ＰＯＳ端末）の客面表示器に表示されるブックマーク登録が可能であることとブックマーク登録の操作手順とを報知する案内表示例の模式図である。
【図１０】商品販売データ処理装置（ＰＯＳ端末）の客面表示器に表示されるブックマーク登録が可能であることとブックマーク登録の操作手順とを報知し、ブックマーク登録したいＵＲＬの選択を許容する案内表示例の模式図である。
【図１１】外部機器（携帯電話）において実行される赤外線通信処理の流れを示すフローチャートである。
【図１２】外部機器（携帯電話）において実行されるブックマーク登録の処理の流れを示すフローチャートである。
【図１３】赤外線送信中の外部機器（携帯電話）の画面表示例を示す模式図である。
【図１４】外部機器（携帯電話）に登録されたブックマークを選択するための画面表示例を示す模式図である。
【符号の説明】
１０６ｄ  客面表示器
１０７ａ、１０７ｂ、１０７ｄ  商品コードを入力する手段（バーコードスキャナ、キーボード、タッチパネル）
１０７ｄ  タッチパネル
１１１  赤外線通信手段（赤外線通信モジュール）
１１６  ＰＬＵファイル、商品コードに対応させてＵＲＬを記憶するファイル
２０１  外部機器（携帯電話）
ステップＳ１０１〜１１１  商品販売データ処理を実行する手段
ステップＳ１０２〜１０５  ＵＲＬ取得手段
ステップＳ２０４、２５７  赤外線通信が確立したかどうかを判定する手段
ステップＳ２０５、２５８  ＵＲＬ送信手段
ステップＳ２５４〜２５５  赤外線送信させるＵＲＬを選択する手段
【図１】
0003694508.tif 000002
【図２】
0003694508.tif 000003
【図３】
0003694508.tif 000004
【図４】
0003694508.tif 000005
【図５】
0003694508.tif 000006
【図６】
0003694508.tif 000007
【図７】
0003694508.tif 000008
【図８】
0003694508.tif 000009
【図９】
0003694508.tif 000010
【図１０】
0003694508.tif 000011
【図１１】
0003694508.tif 000012
【図１２】
0003694508.tif 000013
【図１３】
0003694508.tif 000014
【図１４】
0003694508.tif 000015